(57)【要約】      （修正有）【課題】照射モードをユーザの生理状態に合わせられる多機能歯ブラシを提供する。【解決手段】ハンドルと、ノズル付使い捨てヘッド６と、蓄電池８に接続した内蔵光照射源を備える。ハンドルが、蓄電池８に接続したコアを有する中央制御システム１と、光照射源３と、動作データを収集、処理、保存する装置２を備える。光照射源３が発する光をレンズ４によりプリズムに集光し、導光体５を通してノズル付ヘッド６に反射する。【選択図】図１
0003170174.tif 000002
【実用新案登録請求の範囲】
【請求項１】
ハンドルと、目標領域を治療するためのノズル付使い捨てヘッド（６）と、蓄電池（８）に接続した内蔵光照射源を備える多機能歯ブラシであって、
ハンドルが、蓄電池（８）に接続したコアを有する中央制御システム（１）と、光照射源（３）と、動作データを収集、処理、保存する装置（２）を備え、
少なくとも１つの光照射源（３）が、放射パワー最大０．５Ｗ、波長３８０〜９８０ｎｍであり、
光照射源（３）が発する光を、レンズ（４）によりプリズムに集光し、導光体（５）を通してノズル付ヘッド（６）に反射する
ことを特徴とする多機能歯ブラシ。
【請求項２】
光照射源（３）が、高出力光源、単一ＬＥＤ、マトリクス配列のＬＥＤ、ハロゲン光源、レーザダイオード、レーザ光源を含む群から選択される
請求項１に記載の多機能歯ブラシ。
【請求項３】
レンズ（４）の焦点距離が、３〜２０ｍｍである
請求項１に記載の多機能歯ブラシ。
【請求項４】
通常の周辺部、メモリ、バッキング記憶装置を有する少なくとも２枚のシステムボードと、電源回路と、冷却システムと、蓄電池（８）を充電し中央制御システム（１）と情報のやり取りをする充電装置とを有するケースを備える
請求項１に記載の多機能歯ブラシ。
【請求項５】
ケースが、オフィス、ゲーム、マルチメディアアプリケーション（音楽と動画）を含むソフトウェアを使用可能であり、写真や動画の撮影、インターネット検索、ショートメッセージサービス（スカイプ、メッセンジャー等）を含む外部ソースから受信したデータを処理可能であり、ＦＴＰ、ＨＴＴＰ、ＨＴＴＰＳを含むファイル交換プログラムまたはプロトコルを使用可能にする少なくとも１枚のシステムボードを備える
請求項４に記載の多機能歯ブラシ。
【請求項６】
ケースが、プログラムした光照射源の機能を制御する少なくとも１枚のシステムボードを備える
請求項４に記載の多機能歯ブラシ。
【請求項７】
ケースが、ＰＣまたはＷｉＦｉプラグインを含む他の装置と通信するためのＵＳＢポートを備える
請求項１に記載の多機能歯ブラシ。
【請求項８】
ケースが、ＵＳＢポートを介して行う無線ＬＡＮ装置を含むインターネット接続用装置を備える
請求項１に記載の多機能歯ブラシ。
【請求項９】
ケースが、歯ブラシの本体にインターネット接続用装置を備える
請求項１に記載の多機能歯ブラシ。
【請求項１０】
ケースが、歯ブラシの本体にある中央制御装置とケースにあるシステムボードとの間での通信用シリアル通信ポート（ＵＳＢ、ＲＳ２３２、ＲＳ４８５等）を備える
請求項１に記載の多機能歯ブラシ。
【請求項１１】
ケースが、タッチスクリーンディスプレイを備える
請求項１に記載の多機能歯ブラシ。
【請求項１２】
タッチスクリーンディスプレイを有する片方のシステムボードを、照射モードを選択するためのユーザインタフェース装置として機能させる一方、他方で同じタッチスクリーンディスプレイを有するもう片方のシステムボードを、汎用ソフトウェアを動作させるかまたはインターネットを閲覧する公開装置として機能させる
請求項１に記載の多機能歯ブラシ。
【請求項１３】
中央処理装置（１）により、少なくとも１つの光照射源（３）と、少なくとも１つの光照射源（３）及び電源装置（１０）に接続した変調器（１３）を制御及び機能可能にする
請求項１に記載の多機能歯ブラシ。
【請求項１４】
取外可能な首部が、殺菌洗浄及び滅菌に適した材料から作製される
請求項１に記載の多機能歯ブラシ。
【請求項１５】
取外可能な首部が、光照射に対して透過性があると共に伝導性がある材料から作製され、首部が導光体（５）として機能する
請求項１２に記載の多機能歯ブラシ。
【請求項１６】
装着型使い捨てヘッド（６）が、首部に対して、または首部上で継合されて、目標領域の治療を可能にする
請求項１に記載の多機能歯ブラシ。
【請求項１７】
装着型使い捨てヘッド（６）が、ヘッドを口腔内で使用可能にし、デンタルケアを可能にする光照射に対して透過性がある材料製の刷毛を有するノズルを備える
請求項１４に記載の多機能歯ブラシ。
【請求項１８】
装着型使い捨てヘッド（６）が、ヘッドを軟組織の治療に使用可能にする光照射に対して透過性がある材料製のスポンジを有するノズルを備える
請求項１４に記載の多機能歯ブラシ。
【請求項１９】
装着型使い捨てヘッド（６）が、ヘッドを生体に生来備わった空洞内側で使用可能にする光照射に対して透過性がある材料製の柔軟先端部を有するノズルを備える
請求項１４に記載の多機能歯ブラシ。
【請求項２０】
コアを有する中央制御システム（１）が、装置の動作パラメタを、脈拍数、体温、脳波の周波数を含む各人の測定した生理パラメタに応じて、調整及び制御可能にする
請求項１に記載の多機能歯ブラシ。
【請求項２１】
ＰＣプラスチックまたはガラスを含む透明材料製の絶縁要素が、レンズ（４）とプリズムとの間に配置され、歯ブラシの本体が外部環境から絶縁される
請求項１に記載の多機能歯ブラシ。
【考案の詳細な説明】
【技術分野】
【０００１】
本考案は、本体と、目標領域を治療するためのヘッドと、蓄電池に接続した光照射源とを備える歯ブラシに関する。更に、デンタルケア用品及び口腔衛生用品、特に歯ブラシに関し、例えば、口腔疾患といった歯科学における様々な病気に対する予防及び治療に、歯磨きに、歯の美白、軟組織の治療に、適用できる。
【背景技術】
【０００２】
特許文献１には、レーザ露光によってエナメル質を治療する方法について開示されている。
【０００３】
特許文献２には、２段階の歯治療方法について、第１段階で活性酸素破壊剤を含む混合物を歯に塗布し、第２段階で歯にレーザ光を照射することが開示されている。
【０００４】
特許文献３には、歯の美白方法及び２部分から成る発光歯ブラシについて開示されている。歯ブラシの一方の部分には、刷毛と導光体を備え、もう一方の部分には光源を含み、光源は３５０〜７００ｎｍの範囲の波長の光を発する。歯ブラシを歯の美白（漂白）に使用し、美白用製剤を歯全体に広げて後に、光を照射する。
【０００５】
特許文献４（１９９８年１２月１６日）及び特許文献５（１９９９年５月１６日）には、電源（バッテリ及び充電器）を含む本体と、刷毛を有するヘッドと、光源を備える歯ブラシが開示されている。
【０００６】
特許文献６（２０００年１月２０日）には、本体と、刷毛を有するヘッドと、歯ブラシのヘッドに配置し、磁石を含む少なくとも１つの光源とを備える歯ブラシについて開示されている。刷毛は、少なくとも１つの治療薬用ホルダを含む使い捨てプレートに固定されている。
【０００７】
特許文献７（１９９８年１２月１０日）には、本体と、刷毛を有するヘッドと、ヘッドに配置した光源とを備え、光源を本体内の電源に接続する歯ブラシについて開示されている。光出射はヘッドで行うものの、光出射位置には刷毛や材料を存在させていない。光源の上では、ヘッドの表面を光透過性材料で作製し、レンズとしても機能させる。ヘッドは少なくとも１つの光源を備える。レーザダイオードの波長を、８１０〜６７５ｎｍの範囲としている。
【０００８】
この従来の実施形態により、歯ブラシが発する光照射の効果、特に表面の発光密度を増大でき、エネルギ消費が大幅に減少され、１治療活動に必要な実行時間が短縮され、その結果生体への予防効果や治療効果が向上する。
【０００９】
しかしながら、従来の歯ブラシでは、安定して機能せず、個々のユーザの生理状態に対応もできない。
【先行技術文献】
【特許文献】
【００１０】
【特許文献１】国際公開第ＷＯ１９９８／０３０１６８号
【特許文献２】国際公開第ＷＯ２００１／０２６５７７号
【特許文献３】国際公開第ＷＯ２００３／０４７４５４号
【特許文献４】ロシア国特許第ＲＵ８５６９ｄｄ号
【特許文献５】ロシア国特許第ＲＵ９７４４ｄｄ号
【特許文献６】ロシア国特許第ＲＵ１２５０９ｄｄ号
【特許文献７】ロシア国特許第ＲＵ２１２２８１９ｄｄ号
【考案の概要】
【考案が解決しようとする課題】
【００１１】
本考案は、従来技術の短所を解消または少なくとも向上させて、照射モードをユーザの個人的な生理状態パラメタに合せられるようにする適切な多機能歯ブラシを提供することを課題とする。
【課題を解決するための手段】
【００１２】
本考案は、歯ブラシの本体にある中央制御システムを蓄電池と、光照射源と、動作パラメタを収集、処理、保存する機能モジュールとに接続するという知見に基づくものである。少なくとも１つの光照射源を光源として使用し、レンズを使用して、少なくとも１つの光照射源の光を、歯ブラシのヘッドと結合させた導光体に集光する。光照射源を、高出力で波長が広範囲の光源、単一ＬＥＤ、マトリクス配列のＬＥＤ、ハロゲン光源、レーザダイオード、レーザ光源を含む群から選択する。歯ブラシは、本体内部にコンパクトに組み込んだ複数の電気部品を含む。また、本体には充電器も含む。導光体は、光照射ビームを正確に集光可能にし、そうすることで発光密度を大幅に高くする。中央制御システムは、発光方向や、歯ブラシの他の動作パラメタ、例えば、電流強度、電圧、出力する放射パワー、実行時間等を絶え間なくモニタする。更に、中央制御システムにより、安定した電力供給を可能にし、それにより光照射源が出力する放射パワーを一定にできる。正確に光線を導光体入口に集光することで、発光密度を高くできる。
本考案の多機能歯ブラシは、とりわけ、特に厳選した光活性剤を目標領域全体に均一に分散して、異なる波長の光照射に暴露すると、高品質な口及び咽頭鼻腔部のケア、口腔衛生、軟組織の治療用向けとなる。また、多機能歯ブラシを、適当な光増感剤を含む美白製剤（例えば、イタリアｂｙＤｅｎｔａｌ社によるｂｙＷｈｉｔｅ）を用いて、歯の美白（漂白）にも使用できる。
【００１３】
光照射源により、好適には放射パワーが最大０．５Ｗの、波長範囲が３８０〜９８０ｎｍの光を発する。
【００１４】
レンズの焦点距離を、理想的には３〜２０ｍｍの範囲とする。
【００１５】
本考案の一実施形態によると、本装置はケースを有し、ケースを、電圧を蓄電池に供給し、本体にある中央制御システムとデータのやり取りをするために設ける。また、ケースを、歯ブラシを収納するのにも使用する。蓄電池を充電するために、充電器は金属接点を備え、接点は本体の各接点と結合して、歯ブラシの蓄電池を充電できる。また、誘導充電も考えられる。蓄電池は、歯ブラシの本体に外部で脱着可能にできる、または内蔵できる。  
【００１６】
ケースは、通常の周辺部、メモリ、バッキング記憶装置を有する少なくとも２枚のシステムボードと、それ自体の電源回路と、冷却システムとを備える。電力供給は、電力ネットアダプタまたは蓄電池のどちらかによって可能である。歯ブラシの中央制御システムへのデータ接続を、シリアル通信ポート（ＵＳＢ、ＲＳ２３２、ＲＳ４８５等）で可能にする。
【００１７】
その上、少なくとも１枚のシステムボードにより、オフィス、ゲーム、マルチメディアアプリケーション（音楽と動画）のようなソフトウェアを使用可能にし、写真や動画を撮影可能にするだけでなく、例えばインターネット検索、ショートメッセージサービス（例えば、スカイプ、メッセンジャー等）といった外部ソースから受信したデータを処理可能にし、ＦＴＰ、ＨＴＴＰ、ＨＴＴＰＳ等といったファイル交換プログラムまたはプロトコルを使用可能にする。
【００１８】
また、ケースはタッチスクリーンディスプレイを含み、ディスプレイによって、例えば、動作マニュアル、広告、様々な写真またはビデオ情報等といった情報やデータを呼び出せる。
【００１９】
もう一方のシステムボードは、プログラムした光照射源の機能を制御する。
【００２０】
更に、ケースは、インターネット検索や、必要な情報をネットワークファイルサーバからのダウンロード及び／またはネットワークファイルサーバへのアップロードを可能にするインターネット接続用装置、特にＷｉＦｉ装置を備える。或いはまた、無線ＬＡＮ装置を、歯ブラシの本体に配置することもできる。
【００２１】
また、タッチスクリーンディスプレイを有する一方のシステムボードを、ユーザインタフェース装置として機能させ、同じタッチスクリーンディスプレイを有するもう一方のシステムボードを、汎用ソフトウェアを実行し、インターネット検索するための公開装置として機能させる。
【００２２】
中央制御システムを使用して、少なくとも１つの光照射源と、少なくとも１つの光照射源と電源とに接続した周波数変調器を操作及び制御する。
【００２３】
特定のソフトウェア（ユーザがアクセス不可能かつ変更不可能なもの）を、中央制御システムに組み込む。そのソフトウェアで、歯ブラシの制御機能とユーザの命令との間の接続を提供する。また、ソフトウェアにより、外部からアクセス不可能な、絶対に安全な方法でデータを受信可能にする。歯ブラシを適切に機能させるのに必要なソフトウェアの更新が、歯ブラシの中央制御システムが宛先を指定して接続（有線または無線）することで、公開部分とは独立して、可能になる。こうした独立した接続を、（例えば、特定の時間まで、または内蔵プログラムに基づいて、またはユーザの特定の命令に従い）自動的に開通でき、接続により、ソフトウェアを更新する特定の場所だけ（物理アドレスをフィルタリングすることを含む、ＩＰアドレス）について、医療部分を介してデータを送受信する。
【００２４】
（複数の）独立したシステムボードによる解決方法により、光照射源（医療部分）に対して、かつ歯ブラシの全機能に対して、ユーザが公開娯楽部分と非公開の医療部分とを、ケースにあるボタンを使用して選択できる方法で、確実に安全に動作できる。また、この独立したシステムボードによる解決方法により、ハッカー攻撃のような外的影響の場合にプログラムした光照射源を危険に曝さずに、医療部分を安全に機能させることができる。従って、ユーザは、医療部分を自律的に実行しながら、公開娯楽部分を使用できる、例えば、ユーザが自分の歯を磨くときに、映画を見たり、音楽を聴いたり、インターネット等から情報をダウンロードしたりできる。
【００２５】
歯ブラシの首部は取外可能にする。好適には、首部を殺菌洗浄及び滅菌に適した材料で作製する。
【００２６】
更に好適には、首部を、光照射に対して透過性があり、伝導性がある材料で作製する、または首部内部にかかる材料を含み、首部を導光体として使用する。
【００２７】
首部内部を中空とした場合、首部内部に取り入れられた外気を導光体として役立てる。
【００２８】
好適には、歯ブラシのヘッドを使い捨てとする。目的によって、ユーザは、歯、軟組織、生体に生来備わる空洞を治療するための特定のヘッドを、選択できる。
【００２９】
ヘッド上のノズル（口腔ケア用ヘッドの場合は刷毛、軟組織治療用ヘッドの場合はスポンジ、生来備わる空洞を治療する場合はソフトトップ）をそれぞれ、光源から発する光照射に対して透過性のある材料で作製する。ヘッドにより、目標領域に対して発する光を最適に配光可能になる。
【００３０】
ヘッドを歯ブラシの首部から取外可能にすると、更に有利である。
【００３１】
中央制御システムを、ユーザの生理状態パラメタ、例えばユーザの脈拍数、体温、脳波の周波数を読み取る装置に結合し、それにより照射強度を、ユーザの生理状態パラメタに応じて光照射源の動作パラメタを調整または調節して、ユーザ個人のニーズに合せられる。ユーザの生理状態に関するデータを処理することで、中央制御システムは、歯ブラシの動作パラメタをそれに応じて合せて、調整する。それとともに、ユーザの生理状態パラメタを読み取り、更に歯ブラシの中央制御システムで処理することによって分かるバイオフィードバックにより、測定したユーザの生理状態パラメタに応じて、動作パラメタを調整可能になる。
【００３２】
歯ブラシの本体の内部を絶縁する要素を、レンズと導光体との間に配置する。好適には、絶縁要素を、ＰＣプラスチックまたはガラスのような光透過性材料製とする。このように、絶縁要素を歯ブラシの本体から外部まで光線を進行させるのに使用し、それと同時に本体内側の全部品を保護するのにも使用する。
【図面の簡単な説明】
【００３３】
【図１】本考案の実施形態の回路図
【考案を実施するための形態】
【００３４】
多機能歯ブラシは本体を備え、本体には、中央制御システムコア１を有する中央制御システムと、動作パラメタを収集、処理、保存するモジュール２と、例えばレーザダイオードのような光照射源３と、少なくとも１つの照射源３が発した光線を、ノズル付ヘッド６に接続した導光体５に集光するレンズ４を含む。また、蓄電池８を、歯ブラシの構成部品に電気を供給するのに使用する。ケースは、蓄電池８を充電する内部充電回路７を備える。歯ブラシを、蓄電池８を充電し、かつ充電回路７と制御システム１の間でデータ交換するように、ケースと結合する。充電回路７を、主電源充電器９に接続する。更にまた、本体は、少なくとも１つの光照射源３に結合させた電源装置１０を含み、電源装置には、調整回路のフィードバックループに接続した電流センサ１１も備える。少なくとも１つの光照射源３用の電源装置１０を、変調器１３に接続する。また、少なくとも１つの光照射源の出力パワー制御センサ１２も、調整フィードバックループに設ける。データ入力装置１４を、歯ブラシの様々な動作パラメタをユーザが入力するのに使用する。
【００３５】
また、中央制御システム１は、目的とする治療の動作パラメタ及び測定したユーザの生理状態パラメタに応じて少なくとも１つの光照射源３に関する動作パラメタを調整する。
【００３６】
適当な光活性製剤を歯ブラシのヘッド６のノズル全体に広げたなら、続けて治療行為を行ってもよい。少なくとも１つの光照射源３が発した光線により、光活性化合物を活性化して、目標領域に適切な影響を及ぼすことができる。
例えば、デンタルケアの場合、ユーザは、ヘッドの刷毛ノズル全体に光活性製剤を広げ、ケースのタッチスクリーンディスプレイで歯磨きモードを選択して、歯磨きを開始する。同様に、咽頭鼻腔部等といった生体に生来備わった空洞における軟組織（歯肉または口唇ヘルペスの部位）をケアするまたは治療する場合、ユーザは必要な光活性製剤をヘッドのスポンジノズルまたはソフトトップノズル全体にそれぞれ広げ、次にケースのタッチスクリーンディスプレイの適当なモードを選択して、治療を開始する。中央制御システム１は、必要な信号を、電源装置１０の変調器１３を介して、少なくとも１つの光照射源３に提供する。少なくとも１つの光照射源３からの光線を、レンズ４で導光体５に集光し、ヘッド６に沿ってヘッド６上に配置したノズルへと向かわせる。ヘッド６とノズルを、光照射する光線に対して透過性があり、伝導性がある特定の材料で作製する。
【符号の説明】
【００３７】
１    中央制御システム（コア）
２      モジュール
３      光照射源
４    レンズ
５    導光体
６    ヘッド
７    充電回路
８    蓄電池
９    充電器
１０    電源装置
１１    電流センサ
１２    出力パワー制御センサ
１３    変調器
１４    データ入力装置
【図１】
0003170174.tif 000003
【手続補正書】
【提出日】平成23年7月4日(2011.7.4)
【手続補正１】
【補正対象書類名】実用新案登録請求の範囲
【補正対象項目名】請求項５
【補正方法】変更
【補正の内容】
【請求項５】
ケースが、オフィス、ゲーム、マルチメディアアプリケーションを含むソフトウェアを使用可能であり、写真や動画の撮影、インターネット検索、ショートメッセージサービスを含む外部ソースから受信したデータを処理可能であり、ＦＴＰ、ＨＴＴＰ、ＨＴＴＰＳを含むファイル交換プログラムまたはプロトコルを使用可能にする少なくとも１枚のシステムボードを備える
請求項４に記載の多機能歯ブラシ。
【手続補正２】
【補正対象書類名】実用新案登録請求の範囲
【補正対象項目名】請求項１０
【補正方法】変更
【補正の内容】
【請求項１０】
ケースが、歯ブラシの本体にある中央制御装置とケースにあるシステムボードとの間での通信用シリアル通信ポートを備える
請求項１に記載の多機能歯ブラシ。